(57)【特許請求の範囲】
【請求項１】
回転軸に嵌着された多数の回転プレートの各プレート間に細隙溝を有せしめ、これら細隙溝に流入した原液中の液分を処理槽の外へ軸方向に取り出すための濾液取出路を開設してなる濾過素子の複数が、隣接するもの同士互いにプレートを相手の細隙溝へ嵌入させた交接状態により、原液供給口および固分排出口を有する処理槽内に順次配列せられ、原液供給口から供給された被処理液を固分排出口に誘導する方向へ各濾過素子を回転させつつ濾液を濾液取出路から槽外へ抽出して濾過脱水を行わせる濾過脱水機において、処理槽の一方の側壁外面には連通孔を介して濾液取出路と連通する濾液室を付設し、その下底部から室外へ導出される濾液排出路を開設すると共に、濾液室内から濾液取出路へ向けて開口される噴射ノズルを圧力水発生ポンプから導延された送給管に接続し、他方の側壁内面には濾液取出路と同心状に対面する吸液孔および該吸液孔から離隔した位置で処理槽内へ開口される還流孔を配設し、且つ、これら両孔を孔底部で連通させたことを特徴とする濾過脱水機。
【発明の詳細な説明】
【０００１】
【産業上の利用分野】
本発明は、液体中に含まれている固形物、特に懸濁固形物（ＳＳ）を分離すると共に、分離した固形物を濃縮し脱水するための濾過脱水機に関する。
【０００２】
【従来技術とその問題点】
回転軸に嵌着された多数の回転プレートの各プレート間に細隙溝を有せしめ、これら細隙溝に流入した原液中の液分を処理槽外側の濾液室へ取り出すための濾液取出路を開設してなる濾過素子の複数が、隣接するもの同士互いにプレートを相手の細隙溝に嵌入させた交接状態により、原液供給口から供給された被処理液を固分排出口に誘導する方向へ各濾過素子を回転させつつ濾液を濾液取出路から濾液室へ抽出して濾過脱水を行わせる型式の濾過脱水機は公知である。
【０００３】
この型式の濾過脱水機における最大の問題点は、濾過取出路およびこれと対向して側壁に穿設された流通孔に固形物が詰まり易く且つその除去手段が存在しないため、しばしば濾液の抽出機能が阻害されて固液分離作用を果たし得なくなることである。
【０００４】
濾液室は通常処理室の一側部に付設されるが、上述の問題を解決するために処理槽の両側に濾液室を付設し、一方の濾液室へ通ずる連通孔が固形物で閉塞しても、他方濾液室への濾液抽出機能によって固液分離作業が継続されるよう構成したものも存在する。しかしこの構成は当然濾過脱水機の大型化と高コスト化を招致し、しかも双方の側壁の連通孔に閉塞を生じたり濾液取出路に目詰まりを生じた場合には固液分離作業が全く行われなくなるのである。
【０００５】
【発明の目的】
本発明の目的は、処理槽内における濾過素子の濾液取出路や濾液室への連通孔が固液物で目詰まりを生じた場合にそれを除去し、処理槽内での固液分離作業に支障を生じさせることなく、且つ、大型化、高コスト化を招致しない濾過脱水機を提供することにある。
【０００６】
【発明の構成】
本発明に係る濾過脱水機では、回転軸に嵌着された多数の回転プレートの各プレート間に細隙溝を有せしめ、これら細隙溝に流入した原液中の液分を処理槽の外へ軸方向に取り出すための濾液取出路を開設してなる濾過素子の複数が、隣接するもの同士互いにプレートを相手の細隙溝へ嵌入させた交接状態により、原液供給口および固分排出口を有する処理槽内に順次配列せられ、原液供給口から供給された被処理液を固分排出口に誘導する方向へ各濾過素子を回転させつつ濾液を濾液取出路から槽外へ抽出して濾過脱水を行わせる濾過脱水機において、処理槽の一方の側壁外面には連通孔を介して濾液取出路と連通する濾液室を付設し、その下底部から室外へ導出される濾液排出路を開設すると共に、濾液室内から濾液取出路へ向けて開口される噴射ノズルを圧力水発生ポンプから導延された送給管に接続し、他方の側壁内面には濾液取出路と同心状に対面する吸液孔および該吸液孔から離隔した位置で処理槽内へ開口される還流孔を配設し、且つ、これら両孔を孔底部で連通させた。
【０００７】
【実施例】
以下実施例の図面により説明をする。
【０００８】
１は処理槽であって、その上壁には原液の供給口２が開設され、後端壁には固分排出口３が開設されている。４‥‥４は処理槽１内において固分排出口３を上下から挟むよう二列に配設された多数の濾過素子であって、所要間隔をおいて積層状に並べた環状プレート５‥‥５の中心孔を回転軸６に嵌着し、各プレート５‥‥５間に細隙溝７‥‥７を保有するよう構成されている。そしてこれら多数の濾過素子４‥‥４が、前後に隣接するもの同士互いにプレート５‥‥５を相手の細隙溝７‥‥７に嵌入させた交接状態に順次配列せられ、且つ、各プレート間細隙溝７‥‥７に流入した原液中の液分を処理槽１の外へ軸方向に取り出すための濾液取出路８‥‥８を貫通させるよう、各プレート５‥‥５には同心状に透孔が穿設されている。９‥‥９は濾液取出路８‥‥８と対向するよう処理槽１の一方の側壁に穿設された連通孔、１０は一方の側壁の外側に連通孔９‥‥９を介して濾液取出路８‥‥８と連通するよう付設された濾液室、１１は濾液室１０の下底部から室外へ導出するよう開口された濾液排出路、１２は濾液室１０内から濾液取出路８‥‥８へ向けて開口される噴射ノズルであって、圧力水発生ポンプ１３から導出された送給管１４の先端部に接続される。１５は圧力水発生ポンプ１３から噴射ノズル１２への流路を開閉させるよう送給管１４に付設されたバルブである。処理槽１の他方の側壁内面には、濾液取出路８と同心状に対面する吸液孔１６と、該吸液孔１６から離隔した位置で処理槽１内へ開口される還流孔１７が配設され、これら両孔１６，１７は互いに孔底部で連通している。
【０００９】
【作用】
供給口２から処理槽１内へ供給された原液は、回転している濾過素子４‥‥４により順次濃縮され濾過されて、濾液は濾液取出路８‥‥８から濾過室１０を経て濾液排出路１１から排出せられ、脱水された含水率の低い固分が固分排出口３から排出されることになる。連通孔９‥‥９や濾液取出路８‥‥８に目詰まりを生じた場合には、噴射ノズル１２から圧力水を噴射させてその洗浄作用により目詰まりを除去するのであるが、一方の側壁の連通孔９から濾過素子４の濾液取出路８を通過した圧力水は、他方の側壁に衝き当たって停止するのではなく、吸液孔１６内を抜け還流孔１７を通って処理槽１内へ流入するので、流速が増大して有効な洗浄作用を生じることになる。
【００１０】
【発明の効果】
本発明によれば、濾液室への連通孔や濾過素子の濾液取出路に目詰まりを生じても、圧力水による強力な洗浄作用でその目詰まりを除去することができ、従って処理槽内での固液分離作用は支障なく継続させることができ、濾液室を処理槽の両側に付設することを要せず、大型化、高コスト化を招致しない濾過脱水機を提供し得るのである。
【図面の簡単な説明】
【図１】本発明に係る濾過脱水機の縦断面図である。
【図２】図１のＡ−Ａ線における横断面図である。
【符号の説明】
１    処理槽
２    原液供給口
３    固分排出口
４    回転プレート
５    濾過素子
６    回転軸
７    細隙溝
８    濾液取出路
９    連通孔
１０  濾液室
１１  濾液排出路
１２  噴射ノズル
１３  圧力水発生ポンプ
１４  送給管
１６  吸液孔
１７  還流孔
【図１】
0003652430.tif 000002
【図２】
0003652430.tif 000003